(57)【要約】【課題】  投与器具を載置することができ、且つ投与器具に備わるコネクタが載置面に触れることを防ぐことができる投与器具載置台を提供する。【解決手段】  投与器具載置台１は、医療用ボトル３とチューブ部材４とコネクタ５とを備える投与器具を載置するためのものである。投与器具載置台１は、載置台本体１１と、コネクタ脱着部２１とを備えており、載置台本体１１は、医療用ボトル３を挿入し立てて置くための凹部１２を有し、その下面を載置面に載置するようになっている。また、コネクタ脱着部２１は、コネクタ５を着脱可能に構成され、載置台本体１１の下面からコネクタ５を離して保持している。【選択図】      図１
2015080503.tif 000002
【特許請求の範囲】
【請求項１】
輸液を入れるための医療用ボトルと、前記医療用ボトルに繋がるチューブ部材と、前記チューブ部材の先端部に取付けられているコネクタとを備える投与器具を載置するための投与器具載置台であって、
前記医療用ボトルを挿入して立てて置くための凹部を有し、下面が載置面に載置される載置台本体と、
前記コネクタを前記載置台本体の下面から離して着脱可能に保持するコネクタ脱着部と、を備える投与器具載置台。
【請求項２】
前記投与器具の前記コネクタは、前記チューブ部材の先端部に取付けられているコネクタ本体と、前記コネクタ本体の先端部分に着脱可能に装着されているキャップとを有しており、前記キャップを前記コネクタ脱着部に挿入することで前記コネクタ脱着部に装着され、
前記コネクタ脱着部は、前記コネクタ脱着部から前記キャップを外すために必要な力が前記コネクタの本体部から前記キャップを外すために必要な力に比べて大きくなるように構成されている。請求項１に記載の投与器具載置台。
【請求項３】
前記載置台本体は、前記医療用ボトルの下面に繋がっている前記チューブ部材を載置台本体内に通して外側に引き出すための引出用通路と、前記引出用通路に通されている前記チューブ部材を下側から支える支持部とを有し、
前記凹部は、前記医療用ボトルの下面を支え、
前記支持部は、前記引出用通路に通された前記チューブ部材がキンクしないように前記凹部から下方に離して配置されている、請求項１又は２に記載の投与器具載置台。
【請求項４】
複数の前記コネクタ脱着部を有し、
前記複数のコネクタ脱着部は、前記載置台本体に間隔をあけて配置されている、請求項１乃至３のいずれか１つに記載の投与器具載置台。
【請求項５】
前記載置台本体は、その底側が開口している中空の錐台状になっており、別の前記載置台本体を前記底側から挿入して重ねられるようになっている、請求項１乃至４のいずれか１つに記載の投与器具載置台。
【発明の詳細な説明】
【技術分野】
【０００１】
本発明は、輸液を投与するための投与器具を載置するための投与器具載置台に関する。
【背景技術】
【０００２】
口から食事をすることができない場合に、胃や腸に繋がったカテーテルを介して経腸栄養剤等の輸液を投与することがあり、投与する際に投与器具が用いられる。投与器具は、輸液を入れられるようになっている医療用ボトルを備えており、医療用ボトルの下面には、チューブが繋がっている。チューブの先端部には、コネクタが設けられており、コネクタをカテーテルに連結することによって医療用ボトル内の輸液がチューブ及びカテーテルを介して胃や腸に投与されるようになっている。投与する際、医療用ボトル内の輸液は、重力によってチューブに導かれるようになっており、投与時、医療用ボトルはスタンド等で高い位置に吊される。医療用ボトルをスタンドに吊るすための器具として、例えば特許文献１のようなボトルホルダが知られている。
【０００３】
特許文献１のボトルホルダは、ホルダとハンガーとを有しており、円環状のホルダに医療用ボトルを差し込むことによって医療用ボトルが保持されるようになっている。ホルダの外周面には、１８０度ずれた位置にヒンジが形成されており、このヒンジにＵ字状に形成されているハンガーの両端が連結されている。このハンガーをスタンドにかけることで、保持した医療用ボトルが吊下げられるようになっている。
【先行技術文献】
【特許文献】
【０００４】
【特許文献１】特開２０１３−１０５６７号公報
【発明の概要】
【発明が解決しようとする課題】
【０００５】
特許文献１のボトルホルダは、投与器具をスタンド等に吊下げるためのものであり、スタンド等を配置するための大きなスペースが必要である。しかし、投与時以外の搬送時及び保管時では、より小さなスペースで投与器具が収納できることが望ましく、卓上に置いたり収納棚に収納したりできることが好ましい。そこで、ボトルホルダ付きの投与器具を卓上に直接置いたり収納棚に直接収納したりすることが考えられるが、そうするとコネクタがテーブル等の載置面に触れて不衛生である。また、医療用ボトルが大略円筒形状になっているため転がりやすく、直接置いたり収納したりすると地面へと転がり落ちることがある。そのため、特許文献１のボトルホルダでは、医療用ボトルを卓上に直接置いたり収納棚に直接収納したりことができず、医療用ボトルを置くための台が必要である。
【０００６】
また、医療用ボトルのコネクタは、投与時以外カテーテルから外されており、コネクタが載置面（テーブル等）に触れないようにするために何かにコネクタを固定しておく必要がある。固定するための１つの方法として、チューブをボトルに巻き付けて先端をチューブに絡める方法がある。しかし、この方法では、搬送時や保管時にチューブがほどける等してコネクタが外れて落ちることがある。そうすると、落ちたコネクタが載置面に触れて汚れてしまい、再度投与器具を洗浄しなければならない。
【０００７】
そこで本発明は、投与器具を載置することができ、且つ投与器具に備わるコネクタが載置面に触れることを防ぐことができる投与器具載置台を提供することを目的としている。
【課題を解決するための手段】
【０００８】
本発明の投与器具載置台は、輸液を入れるための医療用ボトルと、前記医療用ボトルに繋がるチューブ部材と、前記チューブ部材の先端部に取付けられているコネクタとを備える投与器具を載置するための投与器具載置台であって、前記医療用ボトルを挿入して立てて置くための凹部を有し、下面が載置面に載置される載置台本体と、前記コネクタを前記載置台本体の下面から離して着脱可能に保持するコネクタ脱着部と、を備えるものである。
【０００９】
本発明に従えば、医療用ボトルを凹部に挿入して置くことによって、載置台本体を介して載置面に医療用ボトルを載置することができる。また、コネクタ脱着部にコネクタを装着することによって、コネクタを載置面から離して保持させることができる。それ故、コネクタがコネクタ着脱部から落ちて載置面に触れることを防ぐことができる。
【発明の効果】
【００１０】
本発明によれば、投与器具を載置することができ、投与器具に備わるコネクタが載置面に触れることを防ぐことができる。
【図面の簡単な説明】
【００１１】
【図１】本発明に係る実施形態の投与器具載置台を示す斜視図である。
【図２】図１の投与器具載置台を切断面Ｘで切断してみた断面図である。
【図３】図１の投与器具載置台を切断面Ｙで切断してみた断面図である。
【図４】図３のコネクタ脱着部付近を拡大して示す拡大断面図である。
【図５】２つの投与器具載置台を重ねておいた場合について示す断面図である。
【発明を実施するための形態】
【００１２】
以下、本発明に係る実施形態の投与器具載置台１について図面を参照して説明する。なお、以下の説明で用いる方向の概念は、説明する上で便宜上使用するものであって、発明の構成の向き等をその方向に限定するものではない。また、以下に説明する投与器具載置台１は、本発明の一実施形態に過ぎない。従って、本発明は実施の形態に限定されず、発明の趣旨を逸脱しない範囲で追加、削除、変更が可能である。
【００１３】
患者の胃や腸に経腸栄養剤等の輸液を投与する際には、後述する投与器具２が用いられる。投与器具２は、胃や腸に接続されているカテーテル（図示せず）に連結して使用するものであり、カテーテルを介して胃や腸に輸液を流し込むようになっている。この投与器具２は、保管時及び搬送時に図１に示す投与器具載置台１に置かれて、卓上に載置されたり持ち運ばれたりするようになっている。以下では、まず投与器具載置台１に置く投与器具２の構成について図２及及び３を参照しながら説明する。
【００１４】
＜投与器具＞
投与器具２は、医療用ボトル３と、チューブ部材４と、コネクタ５とを備えている。医療用ボトル３は、ボトル本体３ａと、蓋体３ｂとを有しており、ボトル本体３ａに輸液を入れてためることができるようになっている。さらに詳細に説明すると、ボトル本体３ａは、有底筒状に形成されており、開口部３ｃの外周部に蓋体３ｂが螺合されて開口部３ｃが塞がれている。また、ボトル本体３ａの下面は、下方に向かって突出する大略部分球面状に形成されており、その下面には、連結部３ｄが一体的に形成されている。連結部３ｄは、ボトル本体３ａの下面からボトル本体３ａの軸線Ｌ１に沿って下方に延在している。連結部３ｄは、大略円筒状に形成されており、連結部３ｄの内孔がボトル本体３ａ内と繋がっている。この連結部３ｄには、チューブ部材４が外装されており、連結部３ｄの内孔を介してボトル本体３ａ及びチューブ部材４に繋がっている。
【００１５】
チューブ部材４は、中間チューブ４ａと、点滴筒４ｂと、導入チューブ４ｃとを備えている。中間チューブ４ａは、可撓性を有する管状の部材であり、例えばゴム管によって構成されている。中間チューブ４ａは、その基端側の開口部を連結部３ｄに外装させて連結され、先端側の開口部には、点滴筒４ｂが連結されている。即ち、中間チューブ４ａを介して点滴筒４ｂとボトル本体３ａとが繋がり、ボトル本体３ａ内の輸液が中間チューブ４ａを介して点滴筒４ｂに導かれるようになっている。点滴筒４ｂは、滴下ノズル（図示せず）を有しており、そこに輸液が点滴筒４ｂ内に滴り落ちるようになっている。また、点滴筒４ｂは、滴り落ちる輸液を貯められるようになっており、貯めた輸液をその下端部に連結されている導入チューブ４ｃに流すようになっている。
【００１６】
導入チューブ４ｃは、合成樹脂（例えば、ポリ塩化ビニル）等の可撓性を有する材料から成る管状の部材であり、その基端部分が点滴筒４ｂに連結されている。導入チューブ４ｃの中間部分には、導入チューブを流れる輸液の速度を調整するためのクランプ（図示せず）が設けられている。また、導入チューブ４ｃは、１ｍ〜数ｍ以上の長さに形成されており、図２及び３に示すように医療用ボトル３の外周面に巻き付けることができるようになっている。なお、導入チューブ４ｃは、必ずしも医療用ボトル３の外周面に巻き付けることができるだけの長さを必要としない。このように構成されている導入チューブ４ｃの先端部分には、カテーテル等の医療用機器（図示せず）に接続するためのコネクタ５が取り付けられている。
【００１７】
コネクタ５は、図４に示すようにコネクタ本体６と、キャップ７とを有している。コネクタ本体６は、大略円筒状に形成されており、その基端部分に導入チューブ４ｃが連結され、基端部分の外周面に把持部６ａが一体的に形成されている。また、コネクタ本体６の先端部分６ｂの外周面は、基端から先端に向かって先細りとなるテーパ状になっており、図示しない医療用機器に接続できるようになっている。また、コネクタ本体６の先端部分６ｂは、医療用機器から外れている状態でキャップ７を装着することができるようになっており、先端部分６ｂにキャップ７を装着することで先端部分６ｂが覆われてそこが汚れることを防ぐことができるようになっている。
【００１８】
キャップ７は、大略有底円筒状になっており、開口している基端側から先端側に向かって先細りとなるテーパ状に形成されている。キャップ７の内孔にコネクタ本体６の先端部分６ｂを入れてキャップ７を被せることで、キャップ７が先端部分６ｂに着脱可能に装着されるようになっている。また、キャップ７の開口端側の外周面には、フランジ７ａが形成されている。フランジ７ａは、外周面から半径方向外方に突出しており、外周面の周方向全周にわたって形成されている。また、キャップ７の先端側の外周面には、複数のリブ７ｂが形成されている。本実施形態では、キャップ７の外周面に４つのリブ７ｂが設けられており、４つのリブ７ｂは、周方向に等間隔を開けて配置されている。４つのリブ７ｂは、フランジ７ａからキャップ７の先端までキャップ７の軸線に平行に延在している。
【００１９】
このように構成されている医療用ボトル３は、投与時において図示しないボトルホルダ等によって吊下げられ、ボトル本体３ａ内に入れられている輸液を重力によって中間チューブ４ａに導くようになっている。中間チューブ４ｂに導かれた輸液は、点滴筒４ｂ内に滴り落ちて導入チューブ４ｃ及びコネクタ５を介して医療用機器に供給され、医療用機器を介して患者に投与される。他方、投与時以外、例えば保管時や搬送時では、投与器具載置台１を介して卓上に置かれたり収納棚に収納されたりするようになっている。以下では、図１乃至５を参照しながら投与器具載置台１の構成について説明する。なお、図１の切断面Ｘは、投与器具載置台１の中心軸線Ｌ２及び後述するチューブ挿入口１４の中心線を含む面あり、切断面Ｙは、投与器具載置台１の中心軸線Ｌ２及び後述する４つのコネクタ脱着部２１のうちの１つコネクタ脱着部２１の軸線を含む面である。
【００２０】
＜投与器具載置台＞
図１に示すように、投与器具載置台１は、載置台本体１１及びコネクタ脱着部２１を備えており、載置台本体１１は、ポリプロピレンやポリエチレン等の合成樹脂から成り、大略四角錐台状になっている。載置台本体１１の下面は、テーブルや収納棚等の載置面に載置することができるようになっている。また、載置台本体１１の上面は、大略平坦になっており、その上面には、凹部１２が形成されている。凹部１２は、載置台本体１１の中心軸線Ｌ２に周りに形成されており、図３に示すようにその内空間１２ａにボトル本体３ａを立てて挿入することができるようになっている。また、凹部１２の内周面及び底面は、ボトル本体３ａの下面側の外形形状に合せて形成されている。即ち、凹部１２の内周面が大略円柱面状に形成され、凹部１２の底面が部分球面状に形成されている。これにより、載置台本体１１は、凹部１２の内にボトル本体３ａを立てて置くことができ、この凹部１２によって医療用ボトル３の下面を支えるようになっている。
【００２１】
このような形状を有する凹部１２の内周面には、複数の突起条部１２ｂが周方向に等間隔をあけて配置されている。突起条部１２ｂは、中心軸線Ｌ２に平行に延在しており、中心軸線Ｌ２に向かって突出している。この突起条部１２ｂの頂部は、丸面取りされており、この頂部によってボトル本体３ａを側方から支持している。また、凹部１２の底面には、貫通孔１３が形成されている。貫通孔１３は、載置台本体１１を上下方向に貫通するように中心軸線Ｌ２に沿って延在しており、この貫通孔１３には、凹部１２に置かれたボトル本体３ａから下方に延びるチューブ部材４（具体的には、中間チューブ４ａ）が通されるようになっている。また、載置台本体１１の一側面には、貫通孔１３に通されたチューブ部材４を載置台本体１１外へと引き出すべく、チューブ挿入口１４が形成されている。
【００２２】
チューブ挿入口１４は、載置台本体１１の上端から下端付近まで延在する切欠きであり、中心軸線Ｌ２に向かって前記一側面に直交するように延びている。また、チューブ挿入口１４は、凹部１２の内空間１２ａと貫通孔１３とに繋がっており、チューブ挿入口１４は貫通孔１３と共に引出用通路１５を構成している。医療用ボトル３に取付けられたチューブ部材４は、この引出用通路１５を通って載置台本体１１の内側から外側に引き出されている。このように形成されるチューブ挿入口１４の下端は、前記一側面を正面から見た正面視で大略半円状に形成されており、載置台本体１１の下面より上側に位置している。そのため、載置台本体１１の前記一側面は、正面視で大略Ｕ字状に形成されており、チューブ挿入口１４の下側が支持部１６となっている。
【００２３】
支持部１６は、引出用通路１５を通されるチューブ部材４の一部分、本実施形態では点滴筒４ｂを支持部１６の上面に載せて支持するようになっている。支持部１６の上面は、凹部１２の底面より低くなるように前記底面から離して配置されており、その上面に点滴筒４ｂを載せた状態で中間チューブ４ａがキンクしないようになっている。さらに詳細に説明すると、支持部１６の高さは、その上面の外側の縁に点滴筒４ｂを載せ、且つ中間チューブ４ａの曲げ角度θが鋭角（好ましくは、６０度以下 ）になるように調整されている。
【００２４】
このような高さに支持部１６を配置することで、保管時及び搬送時に中間チューブ４ａがキンクして輸液の流れが止まってしまうことを防ぐことができる。また、支持部１６の上面に載せられた点滴筒４ｂがその導入チューブ４ｃ側の部分が中間チューブ４ａ側の部分より低く位置するように斜めに配置されるので、導入チューブ４ｃ内の輸液が点滴筒４ｂに逆戻りすることを防ぐことができる。このように流れを止めたり逆戻りしたりすることを防ぐことによって、搬送時及び保管時も中間チューブ４ａ内や導入チューブ４ｃ内を輸液で満たしたままにすることができる。
【００２５】
このように構成されている載置台本体１１は、その内部が中空に形成されており、更に下面が開口している。また、載置台本体１１が前述の通り大略四角錐台状に形成されているので、載置台本体１１の外周面は、テーパ状になっている。更に、貫通孔１３を規定する筒状部分１７が下方に向かって先細りのテーパ状になっており、筒状部分１７を別の載置台本体１１の筒状部分１７内に挿入することができるようになっている。そのため、凹部１２から医療用ボトル３を抜いた状態において載置台本体１１の下側から別の載置台本体１１を挿入することができるようになっている。即ち、図５に示すように、載置台本体１１は、その上に載置台本体１１を重ねて配置することができるようになっており、同じよう要領で複数の載置台本体１１を積み重ねることができるようになっている。このように、複数の載置台本体１１を積み重ねることができるので、載置台本体１１の収納スペースを小さくすることができる。また、載置台本体１１の形状が四角錐台状であるので、収納しやすく、載置台本体１１の数を数えやすくなっている。
【００２６】
このように構成されている載置台本体１１の上面は、図１に示すように大略四角形状になっており、上面の四隅には、大略断面円形の開口１１ａが形成されている。更に、各開口１１ａには、コネクタ脱着部２１が一体的に設けられている。コネクタ脱着部２１は、大略円筒状に形成されており、図３及び４に示すように、前記開口１１ａに嵌まり込むように配置されている。コネクタ脱着部２１は、載置台本体１１の上面から載置台本体１１内に（即ち、載置台本体１１の上面から下方に向かって）中心軸線Ｌ２に平行に突出している。また、コネクタ脱着部２１は、その上側開口部２１ａの内径ｒ１が下側開口部２１ｂの内径ｒ２に対して大径に形成され、更にコネクタ脱着部２１の内周部の内径の変化が滑らかになるように上端から下端に向かって先細りとなるテーパ状に形成されている。
【００２７】
さらに詳細に説明すると、上側開口部２１ａの内径ｒ１は、そこに投与器具２のキャップ７が挿入できるように大径に形成され、逆に下側開口部２１ｂの内径ｒ２は、そこからキャップ７が抜けないように小径に形成されている。そのため、キャップ７をコネクタ脱着部２１に挿入すると、コネクタ脱着部２１にキャップ７が嵌合して保持されるようになっている。従って、投与器具載置台１では、コネクタ５をコネクタ脱着部２１に挿入することで、コネクタ脱着部２１にコネクタ５を装着することができる。コネクタ脱着部２１は、載置台本体１１の上部に設けられており、載置台本体１１の下面より高い位置に配置されている。それ故、コネクタ脱着部２１にコネクタ５を装着することで、載置面からコネクタ５を離して着脱可能に投与器具載置台１に保持させることができる。これにより、コネクタ５がコネクタ脱着部２１から落ちて載置面に触れることを防ぐことができ、コネクタ５のコネクタ本体６が汚れることを防ぐことができる。
【００２８】
また、コネクタ脱着部２１では、コネクタ本体６を投与器具載置台１から取り外す際にキャップ７がコネクタ脱着部２１内に残るように、キャップ７からコネクタ本体６を抜くために必要な力よりコネクタ脱着部２１からキャップ７を抜くために必要な力が大きくなるように構成されている。本実施形態では、コネクタ脱着部２１がキャップ７を保持する力（即ち、キャップ保持力）が、キャップ７がコネクタ本体６を保持する力より大きくなるように構成されている。キャップ保持力を大きくするためには、例えば、コネクタ脱着部２１の内周部のテーパ角（テーパ率）を小さくし、キャップ７をコネクタ脱着部２１内に深く挿入することができるようになっている。このようにキャップ保持力を大きくすることによって、コネクタ脱着部２１からキャップ７が抜ける前にキャップ７からコネクタ本体６が抜くことができる。なお、コネクタ脱着部２１からキャップ７を抜くために必要な力を大きくするための構成としては、他に、コネクタ脱着部２１内周部に係合突起を形成してキャップ７をこの係合片に係合できるようにしたり、コネクタ脱着部２１に摩擦抵抗が大きい材料を採用したりすることがある。
【００２９】
このようにコネクタ脱着部２１からキャップ７を抜くために必要な力を大きくすることで、コネクタ本体６をコネクタ脱着部２１から取外す作業とコネクタ本体６をキャップ７から取外す作業を同時に行うことができる。これにより、コネクタ５を取外す作業の時間を短縮することができる。また、コネクタ本体６を取り外した後のキャップ７がコネクタ脱着部２１に残るので、キャップ７を紛失することを防ぐことができる。更に、キャップ７には、フランジ７ａが形成されており、このフランジ７ａの外径が上側開口部の内径ｒ１より大径に形成されている。それ故、キャップ７がコネクタ脱着部２１内に入り込んで抜けなくなることを防ぐことができる。
【００３０】
このように構成されている投与器具載置台１では、複数のコネクタ脱着部２１が形成されているので、チューブ部材４の長さ、チューブ部材４の巻き付け位置、巻き付け強さ等に応じてコネクタ５の位置が変わっても、その位置に近いコネクタ脱着部２１にコネクタ５を挿入することができる。これにより、チューブ部材４をボトル本体３ａに巻き直したり、医療用ボトル３をその軸線Ｌ１回してコネクタ５の位置を変えたりする必要がない。また、投与器具載置台１では、凹部１２の底面に貫通孔１３が形成され、コネクタ脱着部２１の下面が開口しているので、投与器具載置台１を洗浄した際に凹部１２やコネクタ脱着部２１内に洗浄液等が残ることを防ぐことができる。
【００３１】
［その他の実施形態］
本実施形態の投与器具載置台１では、コネクタ５を着脱可能に保持する構成として、コネクタ５を挿入して嵌合させることでコネクタ５が装着されるコネクタ脱着部２１について説明したが、必ずしもこのような構成に限定されない。例えば、コネクタ５を挿入した後にその軸線周りに回したりスライドさせたりすることでキャップ７がロックされて保持されるような機構であってもよい。また、コネクタ脱着部２１は、コネクタ５を保持できる構成であれば、そこからキャップ７がコネクタ本体６と一体的に抜けるような構成であってもよい。
【００３２】
また、投与器具載置台１では、４つのコネクタ脱着部２１を備えているが、５つ以上であってもよく、また３つ以下であってもよい。例えば、載置台本体１１を円錐台状に形成することによって、凹部１２の周りに４つ以上のコネクタ脱着部２１を形成することが可能である。更に、コネクタ脱着部２１は、必ずしも載置台本体１１の上面に形成する必要はなく、載置台本体１１の側面に設けてもよい。また、コネクタ脱着部２１は、大略円筒状でなくても、コネクタ５を保持できるようであれば大略Ｃ字状に形成されていてもよい。
【００３３】
また、投与器具載置台１に載置されるボトルについて、実施形態では、経腸栄養剤が入れられる医療用ボトル３について説明したが、輸液は、経腸栄養剤に限定されず、他の液体であってもよい。
【符号の説明】
【００３４】
１  投与器具載置台
２  投与器具
３  医療用ボトル
４  チューブ部材
５  コネクタ
７  キャップ
１１  載置台本体
１２  凹部
１５  引出用通路
１６  支持部
２１  コネクタ脱着部
【図１】
2015080503.tif 000003
【図２】
2015080503.tif 000004
【図３】
2015080503.tif 000005
【図４】
2015080503.tif 000006
【図５】
2015080503.tif 000007